(57)【要約】
【課題】　人体の腰、背筋、首を伸ばした状態で座ることができ、しかも前屈みとなる洗髪時においても背筋の姿勢を伸張させた良好で楽な状態にすることができるようにする。【解決手段】　座った状態で人体Ｒの背筋が伸張姿勢となるよう椅子本体Ｐの尻部支え位置から大腿部支え位置にかけて、中央窪み部２を介設して成る前傾面部１を一体形成する。前傾面部１は、中央窪み部２を介して後側傾斜座面部３、当該後側傾斜座面部３よりも低い前側隆起座面部４それぞれが連設配置して成るものとする。
【選択図】　　　図４
0003099799.tif 000002
【実用新案登録請求の範囲】
【請求項１】
　座った状態で人体の背筋が伸張姿勢となるよう椅子本体の尻部支え位置から大腿部支え位置にかけて、中央窪み部を介設して成る前傾面部を一体形成したことを特徴とする浴室用椅子。
【請求項２】
　前傾面部は、中央窪み部を介して後側傾斜座面部、当該後側傾斜座面部よりも低い前側隆起座面部それぞれが連設配置されて成る請求項１記載の浴室用椅子。
【請求項３】
　座った状態で人体の背筋が伸張姿勢となるよう尻部支え位置から大腿部支え位置にかけて、中央窪み部を介して後側傾斜座面部、当該後側傾斜座面部よりも低い前側隆起座面部それぞれが連設配置されて成る前傾面部を形成した補正用座着部材を椅子座面に着脱可能に設置して成ることを特徴とする浴室用椅子。
【請求項４】
　補正用座着部材の下側周縁部には、補正用座着部材自体を椅子座面上に被せられるよう可撓性を有する筒状の嵌着部を備えて成る請求項３記載の浴室用椅子。
【考案の詳細な説明】
【技術分野】
【０００１】
　本考案は、人体の腰、背筋、首を伸ばした状態で座ることができ、しかも前屈みとなる洗髪時においても背筋の姿勢を良好で楽な状態にすることができるようにした浴室用椅子に関するものである。
【背景技術】
【０００２】
　従来から浴室用椅子は、円形状の座面が平坦であったり、円形中央部分が若干窪み状態であったりして形成され、中央には水抜き用の孔が形成されているものが殆どであった。また、座板の下面に設けられた支点部材によって該座板が回動自在に支持され、着座者が前記座板の片側自由端の下面に設けられた弾性部材の弾性力に抗して座板の片側自由端を押圧することで前重心の姿勢で腰掛ける座着具が提案されている（特許文献１参照）。これとは別に、前後方向の断面形状が下方に向けて凸となる湾曲形状の下面を備えた比較的軟質なプレートを備えた座位姿勢変換用ロッキング座具が提案されている（特許文献２参照）。また、先端縁部を下方に傾斜させた案内面を有する浴室用椅子も提案されている（特許文献３）。さらに、荷重を座に加えることで、静止位置における所定角度を保持したまま座を水平な着座位置に達するまで降下させ得ると共に、着座位置から離れた後から静止位置まで所定角度を保持したまま上昇させる昇降機構を備えた入浴時に使用する介護用椅子が提案されている（特許文献４参照）。
【特許文献１】特開平１１−２４４０９９号公報
【特許文献２】特開平１１−１３７３７２号公報
【特許文献３】特開２００３−５２５６６号公報
【特許文献４】登録実用新案第３０５１２３８号公報
【考案の開示】
【考案が解決しようとする課題】
【０００３】
　このように従来から提案されているこれらの前重心の姿勢で腰掛ける座着具、座位姿勢を変換可能なロッキング座具、先端縁部を下方に傾斜させた案内面を有する浴室用椅子等は、いずれも複雑な構成によるものであり、これらは簡単には利用できないものであった。また、従来における簡易構成の浴室用椅子では、その殆どが平坦な座面、中央が窪んだ座面等によって鉛直重心の姿勢で腰掛けられるため、人体の腰、背筋、首を伸ばした状態を維持して長時間座るには腰、背筋、首に掛かる負担が非常に大き過ぎるものとなり、しかも前屈みとなる洗髪時においても腰、背筋、首の姿勢を良好で楽な状態にすることができないという問題点があった。
【０００４】
　そこで本考案は叙上のような従来存した諸事情に鑑み創案されたもので、人体の腰、背筋、首を伸ばした状態で長時間でも楽に座ることができ、しかも前屈みとなる洗髪時においても腰、背筋、首の姿勢を良好で楽な状態にすることができるようにした浴室用椅子を提供することを目的とする。
【課題を解決するための手段】
【０００５】
　上述した課題を解決するため、本考案にあっては、座った状態で人体Ｒの背筋が伸張姿勢となるよう椅子本体Ｐの尻部支え位置から大腿部支え位置にかけて、中央窪み部２を介設して成る前傾面部１を一体形成して成るものである。
　前傾面部１は、中央窪み部２を介して後側傾斜座面部３、当該後側傾斜座面部３よりも低い前側隆起座面部４それぞれが連設配置されて成るものとできる。
　座った状態で人体Ｒの背筋が伸張姿勢となるよう尻部支え位置から大腿部支え位置にかけて、中央窪み部２を介して後側傾斜座面部３、当該後側傾斜座面部３よりも低い前側隆起座面部４それぞれが連設配置されて成る前傾面部１を形成した補正用座着部材Ｑを椅子Ｓ座面に着脱可能に設置して成るものとできる。
　補正用座着部材Ｑの下側周縁部には、補正用座着部材Ｑ自体を椅子Ｓ座面上に被せられるよう可撓性を有する筒状の嵌着部１１を備えて成るものとできる。
【０００６】
　以上のように構成された本考案に係る浴室用椅子にあっては、前傾面部１は、中央窪み部２を介して形成された前側隆起座面部４よりも高い後側傾斜座面部３によって、尻部を持ち上げる状態となって前重心の座り姿勢で腰掛けられ、腰、背筋、首を真っ直ぐに伸ばした状態の伸張姿勢にさせ、洗髪に際して例えば前屈み状態となっても、腰、背筋、首の真っ直ぐな伸張状態を維持させる。
　また、補正用座着部材Ｑは、可撓性を有する嵌着部１１によって座面がどのような形の椅子座面であっても嵌着可能にさせ、前傾面部１における中央窪み部２を介して形成された前側隆起座面部４よりも高い後側傾斜座面部３によって、尻部を持ち上げる状態となって前重心の座り姿勢で腰掛けさせる。
【考案の効果】
【０００７】
　以上、説明したように構成された本考案によれば、着座者は、自身の人体Ｒの腰、背筋、首を伸ばした状態で座ることができ、しかも前屈みとなる洗髪時においても背筋の伸張姿勢を維持し、良好で楽な状態にすることができる。
【０００８】
　すなわちこれは本考案が、座った状態で人体Ｒの背筋が伸張姿勢となるよう椅子本体Ｐの尻部支え位置から大腿部支え位置にかけて、中央窪み部２を介設して成る前傾面部１を一体形成してあるからであり、これにより、座るだけで背筋が伸びて姿勢の良くなるものとすることができる。
【０００９】
　前傾面部１は、中央窪み部２を介して後側傾斜座面部３、当該後側傾斜座面部３よりも低い前側隆起座面部４それぞれが連設配置して成るので、中央窪み部２を介して形成された後側傾斜座面部３により、尻部を持ち上げて前重心の伸張させた座り姿勢となる腰掛状態を長時間維持することができ、しかも前重心の座り姿勢であっても前側隆起座面部４によって係止されるため前方に行く不安定さを無くすことができる。
【００１０】
　座った状態で人体Ｒの背筋が伸張姿勢となるよう尻部支え位置から大腿部支え位置にかけて、中央窪み部２を介して後側傾斜座面部３、当該後側傾斜座面部３よりも低い前側隆起座面部４それぞれが連設配置して成る前傾面部１を形成した補正用座着部材Ｑを椅子座面に着脱可能に設置して成るので、従来の家庭にある浴室用椅子Ｓに対し、本考案の補正用座着部材Ｑを被せるだけで、前重心の伸張させた座り姿勢となる腰掛状態を長時間維持でき、しかも座るだけで背筋が伸びて姿勢の良くなる浴室用椅子とすることができ且つ使い勝手も向上する。
【００１１】
　補正用座着部材Ｑの下側周縁部には、補正用座着部材Ｑ自体を椅子Ｓ座面上に被せられるよう可撓性を有する筒状の嵌着部１１を備えて成るので、座面の如何なる形状を呈した椅子Ｓ座面であっても容易に嵌着保持させることができる。
【００１２】
　尚、上記の課題を解決するための手段、考案の効果の項夫々において付記した符号は、図面中に記載した構成各部を示す部分との参照を容易にするために付したもので、図面中の符号によって示された構造・形状に本考案が限定されるものではない。
【考案を実施するための最良の形態】
【００１３】
　以下図面を参照して本考案を実施するための最良の形態について説明すると、図において示される符号Ｐは、座った状態で人体Ｒの背筋が前傾姿勢となるようにすることができる浴室用の椅子本体である。この椅子本体Ｐは、その座面下側をくり抜いた空洞によって箱型に形成されており、座面の平面形状は丸味のある角部を有する正方形もしくは長方形、あるいは長円形状等を呈している。この椅子本体Ｐの座面には、座った状態で人体Ｒの背筋が伸張姿勢となるよう尻部支え位置から大腿部支え位置にかけて中央窪み部２を形成し、この中央窪み部２を介して後側傾斜座面部３、当該後側傾斜座面部３よりも低い前側隆起座面部４それぞれが連設配置して成る前傾面部１を一体形成してある。
【００１４】
　すなわち椅子本体Ｐの座面には、後部側全域が前方に向って低くなる後側傾斜座面部３を有し、ここから前方下側へ向けて緩やかな湾曲状となった中央窪み部２を連設し、さらに中央窪み部２から前方上側に向けて湾曲状に突出した前側隆起座面部４を連設してある。そしてこの前側隆起座面部４は後側傾斜座面部３の前傾面に滑らかに連結しており、例えば約２〜５ｃｍ程度の低い位置にくるように形成してある。図２に示すように、この中央窪み部２と前側隆起座面部４との連設部位は、座面の最も低い部分であり、しかも例えば座面の少し前気味寄りに位置しており、ここには数ｃｍ程度の水抜き用の孔５が穿設されていると共に、尻部の形状に対応して左右部分に窪みを形成し、左右縁部分が僅かに高く形成されている。
【００１５】
　次に、本考案における使用の一例を説明するに、図４に示すように、椅子本体Ｐの座面に腰掛けると、前傾面部１における中央窪み部２を介して形成され、前側隆起座面部４よりも高い後側傾斜座面部３によって、尻部を持ち上げた状態とし、且つ前側隆起座面部４によって大腿部前側を係止した状態とすることで、安定した前重心の座り姿勢となり、腰、背筋、首を真っ直ぐに伸ばした状態での伸張姿勢を維持できる状態となる。また、洗髪に際して椅子本体Ｐに座ったまま上半身を前屈み状態にした場合でも、前傾面部１により前傾姿勢を維持したままであるため、腰、背筋、首等を真っ直ぐな伸張状態を維持した状態とすることができる。
【００１６】
　図５乃至図７には、本考案を実施するための最良の形態の他例が示されている。すなわち、様々な座面形状を有する他の椅子Ｓ座面に容易に着脱できるよう本考案の前傾面部１を備えた補正用座着部材Ｑを形成してある。この補正用座着部材Ｑは、座った状態で人体Ｒの背筋が前傾姿勢となるよう尻部支え位置から大腿部支え位置にかけて中央窪み部２を形成し、中央窪み部２を介して後側傾斜座面部３、当該後側傾斜座面部３よりも低い前側隆起座面部４それぞれが連設配置して成る前傾面部１を形成してある。
【００１７】
　図６、図７に示すように、補正用座着部材Ｑの下側周縁部には、補正用座着部材Ｑ自体を椅子Ｓ座面上に被せられるよう可撓性を有する筒状の嵌着部１１を備えることにより、一般的な浴室用の椅子Ｓの広い範囲に十分に適応できるようにしてある。すなわち、補正用座着部材Ｑの下側周側面部分には、例えばゴム等の弾性体による可撓性もしくは収縮性のある筒状の嵌着部１１を下方へ向けて延設するか、あるいは円筒突起状に延設された不図示のフレーム等に対し巻装可能となるように取り付けられている。この嵌着部１１の内径は、椅子Ｓ座面に容易に被せられる程度に椅子座面の外径と略同じ大きさ等に設定してある。
【００１８】
　また、補正用座着部材Ｑを嵌着した椅子Ｓ座面側に対し、座る部分を利用して不図示の底板を付けることで、従来の凹みのある浴室用の椅子Ｓにも容易に取り付けられるようにしても良い。さらに、補正用座着部材Ｑの裏面と椅子Ｓ座面との間には、体重を支えることができるよう例えば透明部材を介在させる等してある。あるいは体重を支えることができる範囲内であれば、補正用座着部材の裏面と椅子Ｓ座面との間を例えば空洞にして中に可愛く・楽しく・綺麗な物品を収容するポケット部とする等、何らかの細工を施すこともできる。
【図面の簡単な説明】
【００１９】
【図１】本考案を実施するための最良の形態を示す斜視図である。
【図２】同じく縦断面図である。
【図３】図２におけるＸ−Ｘ断面図である。
【図４】同じく使用状態の概略を示す人体の左右の尻部における断面図である。
【図５】本考案を実施するための最良の形態の他例を示す斜視図である。
【図６】同じく側面図である。
【図７】図６におけるＹ−Ｙ断面図である。
【符号の説明】
【００２０】
Ｐ…椅子本体　　　　　　　　　　　　　　Ｑ…補正用座着部材
Ｒ…人体　　　　　　　　　　　　　　　　Ｓ…椅子
１…前傾面部　　　　　　　　　　　　　　２…中央窪み部
３…後側傾斜座面部　　　　　　　　　　　４…前側隆起座面部
５…水抜き用の孔
１１…嵌着部
【図１】
0003099799.tif 000003
【図２】
0003099799.tif 000004
【図３】
0003099799.tif 000005
【図４】
0003099799.tif 000006
【図５】
0003099799.tif 000007
【図６】
0003099799.tif 000008
【図７】
0003099799.tif 000009